(57)【要約】      （修正有）【課題】無線電力送信機／受信機システムの全体の効率を最大にする無線電力伝送システムを提供する。【解決手段】無線電力伝送動作では、動作パラメータを調整し、送信コイル電流および受信コイル電流を低減することで、無線電力伝送システムの全体の効率を改善する。第１に、無線電力送信機はＡＣ電流が最小値に調整される前と同じ量の電力を負荷に供給しながら、無線電力受信機に、無線電力送信機／受信機間で通信を行い受信コイル電流を最低値に低減させる（５２０）。次いで、無線電力送信機は効率を低下させることなく、または効率をわずかに低下させるだけで、または効率を増加させることによって、無線電力受信機に提供される電力を増加または保存するように、動作パラメータを変更する（５３０）。【選択図】図５
2020048403.tif 000002
【特許請求の範囲】
【請求項１】
無線電力送信機を動作させる方法であって、前記無線電力送信機の第１インダクタによって生成される磁場を介して電力が無線電力受信機に無線で転送され、前記無線電力受信機の第２インダクタに第２ＡＣ電流を誘導する無線電力転送動作において、
前記無線電力送信機が前記第２ＡＣ電流を第１の値にさせる工程と、
前記無線電力送信機が前記第１インダクタの出力電力を増加させ、前記無線電力受信機の出力電力を増加させる工程と、
を備える無線電力送信機を動作させる方法。
【請求項２】
前記無線電力送信機の前記第１インダクタの前記出力電力を増加させるにあたり、前記無線電力送信機の前記第１インダクタに電力を供給するＤＣ電圧を増加させる、
請求項１に記載の無線電力送信機を動作させる方法。
【請求項３】
前記無線電力送信機の前記第１インダクタの前記出力電力を増加させるにあたり、前記無線電力送信機の前記第１インダクタを通る第１ＡＣ電流の周波数を増加させる、
請求項１に記載の無線電力送信機を動作させる方法。
【請求項４】
前記無線電力送信機が前記第２ＡＣ電流を前記第１の値にさせるにあたり、前記無線電力送信機と前記無線電力受信機との間での通信を行い、前記第２ＡＣ電流を、可能な限り高い動作周波数または可能な限り高い電圧で動作させるように動作点を調整することにより、前記第２ＡＣ電流を最小の値に低減するコマンドを前記無線電力送信機が前記無線電力受信機に送信する、
請求項１に記載の無線電力送信機を動作させる方法。
【請求項５】
前記コマンドの送信は、前記無線電力送信機と前記無線電力受信機との間での無線通信において実行される、
請求項４に記載の無線電力送信機を動作させる方法。
【請求項６】
前記無線電力送信機が前記第２ＡＣ電流を前記第１の値にさせるにあたり、前記無線電力送信機は、前記無線電力受信機から第１の指示を受信するまで、前記無線電力送信機の前記第１インダクタの出力電力を低減する、
請求項１に記載の無線電力送信機を動作させる方法。
【請求項７】
前記第１の指示は、前記無線電力受信機との無線通信において前記無線電力送信機に受信される、
請求項６に記載の無線電力送信機を動作させる方法。
【請求項８】
前記第１の指示は、前記第２インダクタにおける最小電流振幅を示す、
請求項６に記載の無線電力送信機を動作させる方法。
【請求項９】
前記第１の指示は、前記無線電力送信機の前記第１インダクタの出力電力を増加させる要求である、
請求項６に記載の無線電力送信機を動作させる方法。
【請求項１０】
無線電力送信機であって、
無線電力受信機の第２インダクタに第２ＡＣ電流を誘導する磁界を発生させるための第１インダクタと、
前記第２ＡＣ電流を第１の値にし、前記無線電力送信機の第１インダクタの出力電力を増加させて、前記無線電力受信機の出力電力を増加させるコントローラと、
そ備える無線電力送信機。
【請求項１１】
前記無線電力送信機の前記第１インダクタの出力電力を増加させるために、前記第１インダクタに電力を供給するＤＣ電圧を増加させる
請求項１０に記載の無線電力送信機。
【請求項１２】
前記無線電力送信機の前記第１インダクタの出力電力を増加させるために、前記第１インダクタを通る第１ＡＣ電流の周波数を増加させる、
請求項１０に記載の無線電力送信機。
【請求項１３】
前記無線電力受信機の前記第２ＡＣ電流に前記第１の値にさせるにあたり、前記無線電力送信機は、前記無線電力受信機に、その出力電力の値を維持しつつ、前記第２ＡＣ電流を最小値に低減するコマンドを送信する、
請求項１０に記載の無線電力送信機。
【請求項１４】
前記コマンドの送信は、前記無線電力送信機と前記無線電力受信機との間で無線通信において実行される、
請求項１３に記載の無線電力送信機。
【請求項１５】
前記無線電力受信機の前記第２ＡＣ電流に前記第１の値を持たせる際に、前記無線電力送信機は、前記無線電力受信機から第１の指示を受信するまで、前記第１インダクタの出力電力を低減する、
請求項１０に記載の無線電力送信機。
【請求項１６】
前記第１の指示は、前記無線電力送信機と前記無線電力受信機との間で無線通信において受信される、
請求項１５に記載の送信機。
【請求項１７】
前記第１の指示は、前記無線電力受信機の前記第２インダクタにおける最小電流振幅を示す、
請求項１５に記載の無線電力送信機。
【請求項１８】
前記第１の指示は、前記無線電力送信機の前記第１インダクタの出力電力を増加させる要求である、
請求項１５に記載の無線電力送信機。
【発明の詳細な説明】
【技術分野】
【０００１】
本発明の実施形態は無線電力システムに関し、特に、システム制御による無線電力最大効率追跡に関する。
【背景技術】
【０００２】
本出願は、参照により本明細書に組み込まれる、平成３０年８月２９日出願の米国仮特許出願第６２／７２４，５１９号の優先権を主張する。
【０００３】
モバイルデバイス、例えばスマートフォンおよびタブレットは、無線電力充電システムをますます使用している。典型的には、無線電力充電システムが時間変化磁場を生成するように駆動される送信機コイルと、時間変化磁場で送信された電力を受信するように送信機コイルに対して配置される受信機コイルとを含む。
【発明の概要】
【発明が解決しようとする課題】
【０００４】
無線電力伝送システムは無線電力受信機（ＲＸ）負荷に必要な電力を供給するように設計されているが、無線電力送信／無線電力受信機システム全体の全体的な効率を最大にすることにあまり注意が払われていない。
【０００５】
したがって、無線電力伝送システム全体の効率を最大にするためのより良いシステムを開発する必要がある。
【課題を解決するための手段】
【０００６】
実施の形態に係る無線電力送信機を動作させる方法は、前記無線電力送信機の第１インダクタによって生成される磁場を介して電力が無線電力受信機に無線で転送され、前記無線電力受信機の第２インダクタに第２ＡＣ電流を誘導する無線電力転送動作において、前記無線電力送信機が前記第２ＡＣ電流を第１の値にさせる工程と、前記無線電力送信機が前記第１インダクタの出力電力を増加させ、前記無線電力受信機の出力電力を増加させる工程と、を備える。
【０００７】
実施の形態に係る無線電力送信機は、無線電力受信機の第２インダクタに第２ＡＣ電流を誘導する磁界を発生させるための第１インダクタと、前記第２ＡＣ電流を第１の値にし、前記無線電力送信機の第１インダクタの出力電力を増加させて、前記無線電力受信機の出力電力を増加させるコントローラと、を備える。
【０００８】
これらの実施形態および他の実施形態は、以下の図面に関して以下でさらに説明される。
【発明の効果】
【０００９】
無線電力伝送システム全体の効率が改善される。
【図面の簡単な説明】
【００１０】
【図１】図１はいくつかの実施形態による無線電力伝送システムを示す。
【図２】図２はいくつかの実施形態による無線電力伝送システムを示す。
【図３】図３は、いくつかの実施形態による無線電力伝送送信機を示す。
【図４】図４は、いくつかの実施形態による無線電力伝送受信機を示す。
【図５】図５は、いくつかの実施形態による無線電力伝送動作のフローチャートである。
【発明を実施するための形態】
【００１１】
以下の説明では、本発明のいくつかの実施形態を説明する特定の詳細が述べられる。しかし、当業者には、いくつかの実施形態がこれらの特定の詳細の一部または全部なしに実施され得ることが明らかであろう。本明細書に開示される特定の実施形態は例示的であることを意味するが、限定的ではない。当業者は本明細書では特に説明しないが、本開示の範囲および精神の中にある他の要素を理解することができる。
【００１２】
本発明の態様および実施形態を示すこの説明および添付の図面は、特許請求の範囲が保護された発明を定義するものとして解釈されるべきではない。この説明および特許請求の範囲の精神および範囲から逸脱することなく、様々な変更を行うことができる。場合によっては、周知の構造および技術が本発明を不明瞭にしないために、詳細には示されていないか、または説明されていない。
【００１３】
一実施形態を参照して詳細に説明される素子およびそれらの関連する態様は、実用的な場合はいつでも、それらが具体的に示されていないかまたは説明されていない他の実施形態に含まれてもよい。例えば、要素が１つの実施形態を参照して詳細に説明され、第２の実施形態を参照して説明されない場合、要素は、それにもかかわらず、第２の実施形態に含まれるものとして特許請求され得る。
【００１４】
図１は、電力の無線転送のための無線電力システム１００を示す。図１に示すように、無線電力送信機１０２は、送信機コイル１０６を駆動して磁場を生成する。電源１０４は、無線電力送信機１０２に電力を供給する。電源１０４は例えば、バッテリベースの電源とすることができ、または、例えば、６０Ｈｚで１２０Ｖの交流電流によって電力を供給することができる。無線電力送信機１０２は、典型的には無線電力規格の１つに従って、典型的にはある範囲の周波数で送信機コイル１０６を駆動する。本発明の実施形態は無線電力規格のいずれかと共に、または任意の無線電力伝送システムと共に使用されてもよい。
【００１５】
無線電力アライアンス（Ａｌｌｉａｎｃｅ  ｆｏｒ  Ｗｉｒｅｌｅｓｓ  Ｐｏｗｅｒ）（Ａ４ＷＰ）規格および無線電力コンソーシアム（Ｗｉｒｅｌｅｓｓ  Ｐｏｗｅｒ  Ｃｏｎｓｏｒｔｉｕｍ）規格、Ｑｉ規格を含む、電力の無線伝送のための複数の規格がある。Ａ４ＷＰ規格の下では、例えば、５０ワットまでの電力を、送信機コイル１０６の近傍の複数の充電装置に、約６．７８ＭＨｚの電力伝送周波数で誘導的に送信することができる。無線電力コンソーシアム（Ｗｉｒｅｌｅｓｓ  Ｐｏｗｅｒ  Ｃｏｎｓｏｒｔｉｕｍ）、Ｑｉ規格の下では、共振誘導結合システムが装置の共振周波数で単一の装置を充電するために利用される。Ｑｉ規格では受信機コイル１０８が送信機コイル１０６に近接して配置され、一方、Ａ４ＷＰ規格では受信機コイル１０８が他の充電装置に属する他のコイルと共に、送信機コイル１０６の近くに配置される。図１は、これらの規格のいずれかの下で、または他の何らかの方法で動作する、一般化された無線電力システム１００を示す。
【００１６】
図１にさらに示されるように、送信機コイル１０６によって生成される磁場は受信機コイル１０８にＡＣ電流を誘導し、その結果、電力が無線電力受信機１１０で受信される。無線電力受信機１１０は負荷１１２に電力を供給し、負荷１１２は、バッテリ充電器および／またはモバイルデバイスの他の構成要素であってもよい。無線電力受信機１１０は、典型的には受信したＡＣ電力を負荷１１２のＤＣ電力に変換するための整流を含む。
【００１７】
現在の無線電力システムはＲｘの負荷１１２に基づいて制御され、動作点は無線電力受信機１１０によって要求される電力の関数である。したがって、動作点は、Ｒｘ電力要件を満たすように調整され、電力消費を低減する観点から常に最適であるとは限らない。効率は、Ｔｘ  ＶＩＮ(電源１０４の出力から無線電力送信機１０２によって生成されるＤＣ電圧）、またはＶＢＲＧ（ＶＩＮから無線電力送信機１０２によって生成され、送信機コイル１０６を介して駆動されるブリッジインバータによってＡＣ電流に変換されるＤＣ電圧）、送信機コイル１０６および受信機コイル１０８で形成される共振タンク（ＴｘおよびＲｘ）の共振周波数、動作周波数制限、ならびに負荷１１２に送達されるＲｘ出力電圧ＶＯＵＴおよび電力ＰＯＵＴの関数で動作点の副産物である。
【００１８】
効率を決定するパラメータは製品仕様によって大部分が設定されているので、特定の電力伝送動作における効率を最大にするように調整することはできず、したがって、効率は固定された事前設定パラメータの副産物であった。効率を高めるためのこれまでの努力はコイル設計（ＤＣＲ（ＤＣ抵抗）およびＡＣＲ(ＡＣ抵抗）の低減、およびフェライト透磁率の変化）、出力電圧（ＶＯＵＴ）および入力電圧（ＶＩＮ）をより高い固定値に増加させること、ならびにより良好な性能およびより低い電力損失（これはシステムのコストを増加させ得る）を有する構成要素を選択することに。
【００１９】
しかし、本発明のいくつかの実施形態では、効率が動作周波数、ＶＢＲＧ電圧、およびＶＯＵＴ電圧などの動作パラメータを事前設定し、固定したままにするのではなく、能動的に調整することによって増大させることができる。
【００２０】
図２は、本発明のいくつかの実施形態に従って実行することができる無線電力送信機２０２および無線電力受信機２１０を有する例示的な無線電力伝送システム２００を示す。図２に示すように、無線電力送信機２０２は、送信機コイルドライバ２２４を制御するように結合された制御部２２２を含む。送信機コイルドライバ２２４は、ＡＣ電流で送信機コイル１０６を駆動するように結合される。制御部２２２はまた、場合によってはパケット形式で、通信部２２６を介してデータを送受信するように結合される。通信部２２６は例えば、周波数変調技術を使用してデータを無線電力受信機２１０に送信し、振幅変調技術で変調されたデータを無線電力受信機２１０から受信することができる。
【００２１】
同様に、無線電力受信機２１０は、受信機コイル１０８に結合されたＲＸ整流器２３４の動作を制御するように結合された制御部２３２を含む。制御部２３２は上述したように、無線電力送信機２０２とデータを送受信する通信部２３６に結合される。制御部２２２および／または制御部２３２は、無線電力送信機２０２および無線電力受信機２１０をそれぞれ動作させることができる任意の処理システム（マイクロコントローラ、メモリ、サポート回路）とすることができる。
【００２２】
無線電力送信機２０２の例は図３により詳細に示され、無線電力受信機２１０の例は図４により詳細に示される。
【００２３】
無線電力伝送システム２００は効率を最大にするために、Ｒｘ出力電力ＰＯＵＴおよびＴｘ上の相対位置に従ってＶＢＲＧおよび／またはＶＯＵＴ電圧を調整することによって、動作点を設定するように制御される。これは、これらの重要なパラメータを固定し、結果として生じる効率を受け入れることとは対照的である。
【００２４】
この方式を実現するために、無線電力受信機２１０は、その出力電圧ＶＯＵＴ、および／または出力電流ＩＯＵＴ、および／またはＲｘ出力電力ＰＯＵＴを無線電力送信機２０２に報告して、無線電力送信機２０２がＲｘ電力を推定できるようにする。（いくつかの実施形態では、Ｒｘレポートが報告済みパワーパケット（ＲＰＰ）を送信することによって作成される）無線電力送信機２０２の電圧レギュレータ３１０（図３）を使用して、ＶＢＲＧおよび／またはＶＩＮを調整し、無線電力受信機２１０に強制し、無線電力送信機２０２が最高動作周波数で動作するよう、電力レベルの変化を要求させることができる。これにより、送信機コイル１０６、受信機コイル１０８の誘導結合が増加し、ＴｘおよびＲｘ共振タンクを通って流れる最小電流でシステムが同じ電力レベルＰＯＵＴを供給するように動作できるようになる。特に、電圧ＶＩＮおよび／またはＶＯＵＴは以下の（式１）ように相互インダクタンス（Ｍ）に関連する送信機コイル１０６の電流Ｉ＿Ｔｘ＿ｃｏｉｌを最小化するように、電圧レギュレータ３１０によって設定することができる。
【００２５】
Ｖ＿Ｒｘ＿ｃｏｉｌ＝２π＊ｆ＊Ｍ＊Ｉ＿Ｔｘ＿ｃｏｉｌ      （式１）
【００２６】
ここで、Ｖ＿Ｒｘ＿ｃｏｉｌは受信機コイル１０８の両端間の電圧（ＥＭＦ）であり、ｆは動作周波数（Ｈｚ）である。
【００２７】
Ｖ＿Ｒｘ＿ｃｏｉｌおよびＩ＿Ｔｘ＿ｃｏｉｌは、ＲＭＳ(二乗平均平方根）値と見なすことができる。効率は、Ｉ＿Ｔｘ＿ｃｏｉｌまたはＩ＿Ｒｘ＿ｃｏｉｌが増加すると低下する。コイル電力損失は、次式（式２）で与えられる。
【００２８】
損失＝（Ｉ＿Ｔｘ＿ｃｏｉｌ）＾２＊ＡＣＲ＿ＴＸ＋（Ｉ＿Ｒｘ＿ｃｏｉｌ）＾２＊ＡＣＲ＿ＲＸ      （式２）
【００２９】
ここで、Ｉ＿Ｔｘ＿ｃｏｉｌは送信機コイル１０６内のＲＭＳ(二乗平均平方根）電流であり、Ｉ＿Ｒｘ＿ｃｏｉｌは受信機コイル１０８内のＲＭＳ電流であり、ＡＣＲ＿ＴＸは送信機コイル１０６のＡＣＲ(ＡＣ抵抗）であり、ＡＣＲ＿ＲＸは受信機コイル１０８のＡＣＲである。また、ＡＣ電流が高いほど、Ｔｘ内のＤＣ電流が高くなり、Ｔｘ電源からＴｘコイルまでのあらゆる構成要素における損失が比例関係で増大する。したがって、送信および受信コイル電流Ｉ＿Ｔｘ＿ｃｏｉｌ、Ｉ＿Ｒｘ＿ｃｏｉｌを減少させることは、エネルギー損失を減少させ、電力伝達効率を増加させる。
【００３０】
いくつかの実施形態では、コイル電流Ｉ＿Ｔｘ＿ｃｏｉｌ、Ｉ＿Ｒｘ＿ｃｏｉｌは電圧がすべて増加するので、受信機−送信機通信に基づく動作点を使用して、高出力電力ＰＯＵＴを負荷１１２に依然として送達しながら、低減される。
【００３１】
図３の例示的な送信機では電圧レギュレータ３１０が電源１０４からの電力信号をＤＣ電圧ＶＩＮ、ＶＢＲＧ(おそらく５．０Ｖ未満；本発明は例示のために提供される特定の電圧値または他のパラメータ値に限定されない）に変換する。電圧ＶＢＲＧは、スイッチＱ１〜Ｑ４（場合によってはバイポーラまたは電界効果トランジスタ、例えばＮＭＯＳ）によって形成されるブリッジインバータに入力される。制御部２２２によって制御されるこれらのスイッチは２つの対（Ｑ１、Ｑ４）および（Ｑ２、Ｑ３）を形成し、一方のスイッチ対は開いており、他方のスイッチ対は、制御部２２２によって、動作周波数ｆで閉じている。その結果、交流電流Ｉ＿Ｔｘ＿ｃｏｉｌは、送信機コイル１０６およびコンデンサＣ１によって形成される共振タンクを介してＶＢＲＧ端子と接地との間を流れる。電流振幅、したがって、電流によって生成される磁界の（所与の動作周波数における）振幅および変化率は、所与の動作周波数および共振タンクに対するＶＢＲＧ電圧を調整することによって調整することができる。
【００３２】
無線電力受信機２１０（図４）では、受信機コイル１０８およびコンデンサＣ２は共振タンクを形成し、そのＡＣ電流Ｉ＿Ｒｘ＿ｃｏｉｌはＲＸ整流器２３４によって整流される。示される特定の例では、ＲＸ整流器２３４が制御部２３２によって制御されるトランジスタＱ５〜Ｑ８を含む同期整流器である（また、効率および安定性を最大にするために、対または他の組み合わせで）。ＲＸ整流器出力は負荷１１２に供給される。コンデンサＣ３、及び場合によっては他の送信器及び受信器構成物を含めて、適切な動作パラメータ及び機能を提供することができる。
【００３３】
電力転送動作の間、および場合によっては電力転送自体の直前に、無線電力送信機２０２および無線電力受信機２１０は、動作パラメータを設定するために互いに通信する。図５のステップ５２０に示すように、送信機は、受信機に受信コイル電流Ｉ＿Ｒｘ＿ｃｏｉｌをある最小値に低減させる。例えば、いくつかの実施形態では通信プロトコルが送信機がＩ＿Ｒｘ＿ｃｏｉｌ電流を、出力電流ＩＯＵＴがゼロまたはゼロ近くに達するが、任意の有意な長さの時間にわたってゼロに留まらない最小値に低減するように、受信機に命令することを可能にする。出力電流がかなりの長さの時間にわたってゼロに留まった場合、出力電力はこの長さの時間の間にゼロであり、したがって効率はゼロであり、ワイヤレス接続を維持するために必要なすべての電力は、送達される電力なしで消費される。
【００３４】
受信機は、例えばトランジスタＱ５〜Ｑ８のデューティサイクルを低減することによって、またはトランジスタのゲート電圧を低減することによって、そのコイル電流Ｉ＿Ｒｘ＿ｃｏｉｌを低減することができる。
【００３５】
他の実施形態では、ステップ５２０が以下のように実行される。受信機の制御部２３２はＶＯＵＴおよび／またはＩＯＵＴおよび／またはＰＯＵＴおよび／またはＩ＿Ｒｘ＿Ｃｏｉｌ値を監視し、これらの値を無線電力送信機２０２に周期的に提供する。送信機は受信機から受信した値を監視しながら、それらの値が最小受信コイル電流Ｉ＿Ｒｘ＿ｃｏｉｌを示すまで、および／または受信機が送信機に出力電力を増加させるように要求するまで、送信機コイル１０６の出力電力を徐々に減少させる。（送信機は例えば、ＶＢＲＧ、および／または動作周波数、ならびに／またはスイッチＱ１〜Ｑ４のデューティサイクルおよび／またはゲート電圧を低減することによって、その出力電力を低減することができるが、いくつかの実施形態ではデューティサイクルが５０％に維持され、動作周波数ｆは例えば、送信機の共振タンク周波数に応じて、ある限界内に維持される）送信機がその出力電力を減少させる一方、受信機は最大ゲート電圧で５０％デューティサイクルで整流器を動作させることによって、その出力電圧および電流ＶＯＵＴ、ＩＯＵＴを最大にしようとする。
【００３６】
次いで（ステップ５３０）、送信機は例えば、ＶＢＲＧ電圧、および／または動作周波数、および／またはブリッジインバータのデューティサイクルおよび／またはゲート電圧を増加させることによって、その出力電力を増加させる。その結果、ＶＯＵＴおよびＰＯＵＴは所望の値に増加する。コイル電流Ｉ＿Ｔｘ＿ｃｏｉｌ、Ｉ＿Ｒｘ＿ｃｏｉｌも増加するが、この増加は上述したように、最初にステップ５２０でＩ＿Ｒｘ＿ｃｏｉｌ電流を最小化するため、効率の改善に比べて最小である。
【００３７】
ＶＢＲＧ調整は、ＶＯＵＴおよび／またはＩＯＵＴおよび／またはＰＯＵＴおよび／またはＩ＿Ｒｘ＿ｃｏｉｌパラメータの受信機の報告に基づいて、電力転送動作全体にわたって継続することができる。具体的には、ステップ５２０および５３０が電力転送中に周期的に繰り返される。
【００３８】
いくつかの実施形態では、送信機および／または受信機のデューティサイクルが全体を通して５０％に固定され、ステップ５２０および５３０で変更されない。
【００３９】
いくつかの実施形態は、以下の項によって定義される:
【００４０】
第１項は送信機のインダクタ（例えば、送信機コイル１０６）によって生成される磁場を介して電力が無線で転送され、無線電力受信機のインダクタ（例えば、受信機コイル１０８）にＡＣ電流を誘導する無線電力伝送動作において無線電力送信機を動作させる方法を定義し、この方法は以下を含む。
【００４１】
送信機はＡＣ電流を第１の値（例えば、ステップ５２０における低いＩ＿Ｒｘ＿ｃｏｉｌ値）にさせ、次いで、送信機は受信機の出力電力（例えば、ＰＯＵＴ）を増加させるために、送信機のインダクタの出力電力を増加させる（例えば、ステップ５３０において、場合によってはＶＢＲＧおよび／または動作周波数を増加させることによって）。
【００４２】
第２項は、送信機のインダクタの出力電力を増加させる前記送信機は前記送信機のインダクタに電力を供給するＤＣ電圧（例えば、ＶＢＲＧ）を増加させることを含む、前記第１項に記載の方法。
【００４３】
第３項は、前記送信機のインダクタの出力電力を増加させる前記送信機は前記送信機のインダクタを通るＡＣ電流の周波数（例えば、動作周波数）を増加させることを含む、前記第１項または前記第２項に記載の方法。
【００４４】
第４項は、前記受信機のインダクタ内のＡＣ電流に第１の値を持たせる前記送信機は、前記受信機のインダクタのＡＣ電流を最小値に低減するコマンドを前記受信機に送信することを含む、前記第１項から前記第３項までのいずれかに記載の方法。
【００４５】
第５項は、前記コマンドの送信は、前記受信機との無線通信において実行される、前記第４項に記載の方法。
【００４６】
第６項は、前記受信機のインダクタ内のＡＣ電流を第１の値を有するようにする前記送信機は、前記受信機から第１の指示を受信するまで、前記送信機のインダクタの出力電力を低減するステップを含む、前記第１項から前記第５項までのいずれかに記載の方法。
【００４７】
第７項は、前記第１の指示は、前記受信機との無線通信において受信される、前記第６項に記載の方法。
【００４８】
第８項は、前記第１の指示が受信機のインダクタにおける最小電流振幅を示す（最小電流振幅は、Ｉ＿Ｒｘ＿ｃｏｉｌ値および／またはＰＯＵＴおよび／またはＶＯＵＴおよび／またはＩＯＵＴ値を送信する受信機によって示されてもよい）、前記第６項または前記第７項に記載の方法。
【００４９】
第９項は、前記第１の指示は、送信機のインダクタの出力電力を増加させる要求で前記第６項、前記第７項、または前記第８項に記載の方法。
【００５０】
本発明は上述の方法を実行するように構成された送信機を含み、例えば、ハードワイヤードおよび／またはソフトウェアプログラム方式で適切に構成された制御部２２２を有する。
【００５１】
上記の詳細な説明は、本発明の特定の実施形態を例示するために提供され、限定することを意図するものではない。本発明の範囲内で、多くの変形および修正が可能である。本発明は、以下の特許請求の範囲に記載されている。
【符号の説明】
【００５２】
１００：無線電力システム
１０２：無線電力送信機
１０４：電源
１０６：送信機コイル
１０８：受信機コイル
１１０：無線電力受信機
１１２：負荷
２００：無線電力伝送システム
２０２：無線電力送信機
２１０：無線電力受信機
２２２：制御部
２２４：送信機コイルドライバ
２２６：通信部
２３２：制御部
２３４：ＲＸ整流器
２３６：通信部
３１０：電圧レギュレータ
５２０、５３０：ステップ
Ｃ１、Ｃ２、Ｃ３：コンデンサ
ＩＯＵＴ：Ｒｘ出力電流
ＰＯＵＴ：Ｒｘ出力電力
Ｑ１、Ｑ２、Ｑ３、Ｑ４、Ｑ５、Ｑ６、Ｑ７、Ｑ８：スイッチ
ＶＢＲＧ：ＶＩＮから無線電力送信機１０２によって生成され、送信機コイル１０６を介して駆動されるブリッジインバータによってＡＣ電流に変換されるＤＣ電圧
ＶＯＵＴ：Ｒｘ出力電圧
【図１】
2020048403.tif 000003
【図２】
2020048403.tif 000004
【図３】
2020048403.tif 000005
【図４】
2020048403.tif 000006
【図５】
2020048403.tif 000007
【外国語明細書】
2020048403000001.pdf